(57)【要約】【課題】  ソフトウェア処理で通話が可能であるが通話相手の音声の録音が行えない通話装置において、自局側の通話音声とともに通話相手の音声を録音できるようにする。【解決手段】  スマートフォン１は、ソフトウェア処理で通話が可能であるが通話相手の音声の録音が行えない通話装置であり、通話録音アダプタ３は、スマートフォン１と音声インターフェイス２との間で、それらにそれぞれ接続される。通話録音アダプタ３は、スマートフォン１から出力されるイヤフォン音声信号を減衰し、減衰後のイヤフォン音声信号を、音声インターフェイス２のマイクロフォン２２から通話装置へ供給されるマイクロフォン音声信号に混合させる。そして、スマートフォン１は、減衰後のイヤフォン音声信号が混合されたマイクロフォン音声信号を、ソフトウェア処理でデジタルデータとして録音する。【選択図】  図１
2019041270.tif 000002
【特許請求の範囲】
【請求項１】
ソフトウェア処理で通話が可能であるが通話相手の音声の録音が行えない通話装置と、
マイクロフォンとイヤフォンとを備えた音声インターフェイスと、
前記通話装置と前記音声インターフェイスとの間で、前記通話装置と前記音声インターフェイスとにそれぞれ接続される通話録音アダプタとを備え、
前記通話装置は、外部からのマイクロフォン音声信号を受け付ける音声入力回路と、外部へイヤフォン音声信号を出力する音声出力回路と、前記マイクロフォン音声信号に基づく音声をソフトウェア処理でデジタルデータとして録音する録音処理部とを備え、
前記通話録音アダプタは、前記通話装置から出力される前記イヤフォン音声信号を減衰し、減衰後の前記イヤフォン音声信号を、前記音声インターフェイスの前記マイクロフォンから前記通話装置へ供給されるマイクロフォン音声信号に混合させるミキシング回路を備え、
前記通話装置の前記録音処理部は、減衰後の前記イヤフォン音声信号が混合された前記マイクロフォン音声信号を、ソフトウェア処理でデジタルデータとして録音すること、
を特徴とする通話録音システム。
【請求項２】
前記ミキシング回路は、電源不要な受動素子のみで構成されていることを特徴とする請求項１記載の通話録音システム。
【請求項３】
前記音声インターフェイスの前記マイクロフォンの出力インピーダンスは、所定の許容範囲内のいずれかの値とされ、
前記ミキシング回路の出力インピーダンスは、前記許容範囲の下限値より上限値に近い値に設定されていること、
を特徴とする請求項２記載の通話録音システム。
【請求項４】
前記通話装置は、ＡｎｄｒｏｉｄＯＳの搭載されたスマートフォンであり、前記ＡｎｄｒｏｉｄＯＳにおいて、オーディオソースのうちのマイクロフォン入力の録音は可能であるが、オーディオソースのうちのボイスコールの録音は可能ではない状態であることを特徴とする請求項１から請求項３のうちのいずれか１項記載の通話録音システム。
【請求項５】
ソフトウェア処理で通話が可能であるが通話相手の音声の録音が行えない通話装置と、マイクロフォンとイヤフォンとを備えた音声インターフェイスとの間で、前記通話装置と前記音声インターフェイスとにそれぞれ接続される通話録音アダプタであって、
前記通話装置から出力されるイヤフォン音声信号を減衰し、減衰後の前記イヤフォン音声信号を、前記音声インターフェイスの前記マイクロフォンから前記通話装置へ供給されるマイクロフォン音声信号に混合させるミキシング回路を備え、
前記ミキシング回路は、電源不要な受動素子のみで構成されており、
前記ミキシング回路の前記受動素子の値は、前記音声インターフェイスの前記マイクロフォンの出力インピーダンスに応じて設定されていること、
を特徴とする通話録音アダプタ。
【発明の詳細な説明】
【技術分野】
【０００１】
本発明は、通話録音システムおよび通話録音アダプタに関するものである。
【背景技術】
【０００２】
近年、スマートフォンなどの携帯電話装置で通話録音が可能なものがある（例えば特許文献１参照）。
【先行技術文献】
【特許文献】
【０００３】
【特許文献１】特開２０１３−１８３４０４号公報
【発明の概要】
【発明が解決しようとする課題】
【０００４】
通話録音では、スマートフォンなどの通話装置を操作するユーザーの音声と、通話相手の音声の両方を音声データとして取得する必要がある。
【０００５】
例えば、ＡｎｄｒｏｉｄＯＳを搭載したスマートフォンの場合、ＡｎｄｒｏｉｄＯＳにより提供される録音機能が、通話録音などの音声記録に利用される。
【０００６】
ここで、ＡｎｄｒｏｉｄＯＳでは、音声記録のためにＭｅｄｉａＲｅｃｏｒｄｅｒクラスが定義されており、さらに、その中で使用可能なオーディオソースを示すＭｅｄｉａＲｅｃｏｒｄｅｒ．ＡｕｄｉｏＳｏｕｒｃｅクラスが定義されている。
【０００７】
ＭｅｄｉａＲｅｃｏｒｄｅｒ．ＡｕｄｉｏＳｏｕｒｃｅクラスでは、マイクロフォン入力（ＭＩＣ）、音声通話（ボイスコール：ＶＯＩＣＥ＿ＣＡＬＬ）などがオーディオソースとして規定されている。
【０００８】
したがって、スマートフォンなどの通話装置にＡｎｄｒｏｉｄＯＳが適切に実装されている場合には、オーディオソースとしてボイスコールを選択して音声記録を行うことで、通話録音が可能となる。
【０００９】
しかしながら、一般的に、スマートフォンなどの通話装置にＡｎｄｒｏｉｄＯＳを実装する際、通話装置のベンダーが自社の装置に固有なカスタマイズをしつつＡｎｄｒｏｉｄＯＳを通話装置に実装するため、オーディオソースとしてボイスコールを選択しての音声記録が適切に実装させず、この方法で通話録音（特に通話相手の音声の録音）が行えないことがある。特に、オペレーティングシステム（ここではＡｎｄｒｏｉｄＯＳ）のバージョンアップ時には、この方法での通話録音に不具合が発生しやすい。
【００１０】
また、ある国では通話相手の音声の録音が法律上禁止されているため、仕様として一律に通話録音を実装していない通話装置も存在する。
【００１１】
これらの状態の通話装置では、ソフトウェア処理で通話が可能であるが通話相手の音声の録音が行えない。
【００１２】
なお、もちろん、例えば通話相手の音声をスピーカなどで出力して、通話装置とは別の装置（音声レコーダーなど）でその音声を録音することはできるものの、別の装置が必要になってしまい、通話録音のために必要な機器などに要するコストが高くなってしまい現実的ではない。
【００１３】
本発明は、上記の問題に鑑みてなされたものであり、ソフトウェア処理で通話が可能であるがソフトウェア処理で通話相手の音声の録音が行えない通話装置において、自局側の通話音声とともに通話相手の音声を録音できる通話録音システムおよびその通話録音システムに使用可能な通話録音アダプタを得ることを目的とする。
【課題を解決するための手段】
【００１４】
本発明に係る通話録音システムは、ソフトウェア処理で通話が可能であるが通話相手の音声の録音が行えない通話装置と、マイクロフォンとイヤフォンとを備えた音声インターフェイスと、上述の通話装置と上述の音声インターフェイスとの間で、上述の通話装置と上述の音声インターフェイスとにそれぞれ接続される通話録音アダプタとを備える。そして、通話装置は、外部からのマイクロフォン音声信号を受け付ける音声入力回路と、外部へイヤフォン音声信号を出力する音声出力回路と、そのマイクロフォン音声信号に基づく音声をソフトウェア処理でデジタルデータとして録音する録音処理部とを備える。また、通話録音アダプタは、通話装置から出力されるイヤフォン音声信号を減衰し、減衰後のイヤフォン音声信号を、音声インターフェイスのマイクロフォンから通話装置へ供給されるマイクロフォン音声信号に混合させるミキシング回路を備える。そして、通話装置の録音処理部は、減衰後のイヤフォン音声信号が混合されたマイクロフォン音声信号を、ソフトウェア処理でデジタルデータとして録音する。
【００１５】
本発明に係る通話録音アダプタは、ソフトウェア処理で通話が可能であるが通話相手の音声の録音が行えない通話装置と、マイクロフォンとイヤフォンとを備えた音声インターフェイスとの間で、上述の通話装置と上述の音声インターフェイスとにそれぞれ接続される通話録音アダプタであって、その通話装置から出力されるイヤフォン音声信号を減衰し、減衰後のイヤフォン音声信号を、音声インターフェイスのマイクロフォンから通話装置へ供給されるマイクロフォン音声信号に混合させるミキシング回路を備える。そして、ミキシング回路は、電源不要な受動素子のみで構成されており、ミキシング回路の受動素子の値は、音声インターフェイスのマイクロフォンの出力インピーダンスに応じて設定されている。
【発明の効果】
【００１６】
本発明によれば、ソフトウェア処理で通話が可能であるがソフトウェア処理で通話相手の音声の録音が行えない通話装置において、自局側の通話音声とともに通話相手の音声を録音できる通話録音システムおよびそのような通話録音システムに使用可能な通話録音アダプタが得られる。
【００１７】
本発明の上記又は他の目的、特徴および優位性は、添付の図面とともに以下の詳細な説明から更に明らかになる。
【図面の簡単な説明】
【００１８】
【図１】図１は、本発明の実施の形態に係る通話録音システムの構成を示す図である。
【図２】図２は、本発明の実施の形態に係る通話録音システムの構成を示すブロック図である。
【図３】図３は、図１および図２に示す通話録音システムにおけるアナログ音声コネクタ（プラグとジャック）について説明する図である。
【図４】図４は、実施の形態１における通話録音アダプタの構成を示す回路図である。
【図５】図５は、実施の形態２における通話録音アダプタの構成を示す回路図である。
【発明を実施するための形態】
【００１９】
以下、図に基づいて本発明の実施の形態を説明する。
【００２０】
実施の形態１．
【００２１】
図１は、本発明の実施の形態に係る通話録音システムの構成を示す図である。図１に示す通話録音システムは、スマートフォン１と、音声インターフェイス２と、通話録音アダプタ３とを備える。スマートフォン１は、コンピュータを内蔵し、そのコンピュータでプログラムを実行することで（つまり、ソフトウェア処理で）通話処理を行う通話装置である。さらに、スマートフォン１は、ソフトウェア処理で通話が可能であるがソフトウェア処理で通話相手の音声の録音が行えない通話装置である。つまり、スマートフォン１では、通話中に受信した通話相手の音声の音声データをただちに記録することができない。なお、ここでは、通話装置として、スマートフォン１が使用されているが、その代わりに、ポータブルなパーソナルコンピュータ、タブレットＰＣ（Personal Computer）などでもよい。
【００２２】
この実施の形態では、スマートフォン１は、ＡｎｄｒｏｉｄＯＳの搭載されたスマートフォンであり、ＡｎｄｒｏｉｄＯＳにおいて、オーディオソースのうちのマイクロフォン入力の録音は可能であるが、オーディオソースのうちのボイスコールの録音（つまり、自局側のユーザーの音声と通話相手の音声の両方の録音）は可能ではない状態とされている。
【００２３】
音声インターフェイス２は、マイクロフォンとイヤフォンとを備え、通話時にスマートフォン１のユーザーにより使用されるヘッドセット、イヤホンセットなどといった装置である。
【００２４】
通話録音アダプタ３は、スマートフォン１と音声インターフェイス２との間で、スマートフォン１と音声インターフェイス２とにそれぞれ接続され、後述のような特定の機能を有する。なお、通話録音アダプタ３は、ケーブルの形態でもよいし、モジュール状の形態でもよい。また、通話録音アダプタ３は、音声インターフェイス２に内蔵されていても、音声インターフェイス２とは別体とされてもよい。
【００２５】
図２は、本発明の実施の形態に係る通話録音システムの構成を示すブロック図である。
【００２６】
図２に示すように、スマートフォン１は、無線通信装置１１と、演算処理装置１２と、記憶装置１３と、音声出力回路１４と、音声入力回路１５と、アナログ音声コネクタ１６とを備える。
【００２７】
無線通信装置１１は、無線ＬＡＮインターフェイス、携帯電話網に接続可能な無線通信部などであり、通話のためのデータ通信を行う。これにより、通話相手の装置との間での通話が確立する。なお、通話相手の装置は、電話機でもよいし、音声通信ソフトウェアをインストールされたパーソナルコンピュータなどでもよい。
【００２８】
演算処理装置１２は、例えばＣＰＵ（Central Processing Unit）、ＲＯＭ（Read Only Memory）、ＲＡＭ（Random Access Memory）などを有するコンピュータを備え、各種プログラムをＲＡＭにロードしＣＰＵで実行することで、各種ソフトウェア処理を行う処理部として動作する。記憶装置１３は、フラッシュメモリなどの、プログラムやデータを格納する不揮発性の記憶装置である。
【００２９】
ここでは、演算処理装置１２は、通話処理部１２ａ、録音処理部１２ｂなどとして動作する。
【００３０】
通話処理部１２ａは、無線通信装置１１を制御して、所定の通信プロトコルで、（ａ）通話相手の音声データを受信してデジタル音声信号に変換して音声出力回路１４に出力し、（ｂ）音声入力回路１５から供給されるスマートフォン１のユーザーのデジタル音声信号を受け付けて音声データに変換し、その音声データを送信する。
【００３１】
録音処理部１２ｂは、マイクロフォン入力の音声データ（つまり、音声入力回路１５から受け付けたデジタル音声信号を変換して得られた音声データ）を、所定のデータ形式のファイルとして記憶装置１３などに格納する。
【００３２】
つまり、録音処理部１２ｂは、マイクロフォン音声信号に基づく音声をソフトウェア処理でデジタルデータとして録音する。具体的には、録音処理部１２ｂは、通話録音アダプタ３により減衰されたイヤフォン音声信号が混合されたマイクロフォン音声信号を、ソフトウェア処理でデジタルデータとして録音する。
【００３３】
音声出力回路１４は、上述のデジタル音声信号からイヤフォン音声信号（アナログ音声信号）を生成しアナログ音声コネクタ１６を介して出力する。音声出力回路１４には、Ｄ／Ａ（Digital to Analog）変換器、アンプなどが含まれる。
【００３４】
音声入力回路１５は、アナログ音声コネクタ１６を介してマイクロフォン音声信号（アナログ音声信号）を受け付け、デジタル音声信号に変換し、そのデジタル音声信号を出力する。音声入力回路１５には、マイクロフォンアンプ、Ａ／Ｄ（Analog to Digital）変換器などが含まれる。
【００３５】
アナログ音声コネクタ１６は、特定形式の１つのジャックであり、音声出力回路１４および音声入力回路１５に接続される。
【００３６】
また、図２に示すように、音声インターフェイス２は、スマートフォン１のユーザーの左右の耳に対して音声を出力するイヤフォン２１Ｌ，２１Ｒと、スマートフォン１のユーザーの発する音声を集音するマイクロフォン２２と、アナログ音声コネクタ２３とを備える。なお、この実施の形態では、音声インターフェイス２は、ステレオのイヤフォン２１Ｌ，２１Ｒを備えるが、その代わりに、１つの（つまりモノラルの）イヤフォンを備えていてもよい。
【００３７】
アナログ音声コネクタ２３は、アナログ音声コネクタ１６に対応する特定形式の１つのプラグである。
【００３８】
図３は、図１および図２に示す通話録音システムにおけるアナログ音声コネクタ（プラグとジャック）について説明する図である。
【００３９】
例えば図３に示すように、アナログ音声コネクタ１６およびアナログ音声コネクタ２３には、左側のイヤフォン音声信号端子ＥＰ−Ｌ、右側のイヤフォン音声信号端子ＥＰ−Ｒ、マイクロフォン音声信号端子（モノラル）ＭＩＣ、およびグランド端子ＧＮＤを有する４極のジャックおよびプラグが使用される。
【００４０】
したがって、アナログ音声コネクタ２３およびアナログ音声コネクタ１６は互いに接続可能となっており、通話録音をせず通話のみであれば、通話録音アダプタ３を介さずに、アナログ音声コネクタ２３およびアナログ音声コネクタ１６でスマートフォン１と音声インターフェイス２とを互いに接続することで、通話が可能である。
【００４１】
図４は、実施の形態１における通話録音アダプタ３の構成を示す回路図である。
【００４２】
図４に示すように、通話録音アダプタ３は、アナログ音声コネクタ２３と同一形式のアナログ音声コネクタ３１と、アナログ音声コネクタ１６と同一形式のアナログ音声コネクタ３２と、ミキシング回路３３とを備える。
【００４３】
ミキシング回路３３は、スマートフォン１から出力されるイヤフォン音声信号（つまり、音声インターフェイス２のイヤフォン２１Ｌ，２１Ｒから音声を出力させることのできる電圧・電力の音声信号）を減衰し、減衰後のイヤフォン音声信号を、音声インターフェイス２のマイクロフォン２２からスマートフォン１へ供給されるマイクロフォン音声信号に混合させる。
【００４４】
実施の形態１では、ミキシング回路３３は、（ａ）アナログ音声コネクタ３１のイヤフォン音声信号端子ＥＰ−Ｌ，ＥＰ−Ｒの一方（ここでは端子ＥＰ−Ｌであるが、端子ＥＰ−Ｒでもよい）を、アナログ音声コネクタ３２のイヤフォン音声信号端子ＥＰ−Ｌ，ＥＰ−Ｒの両方に電気的に接続し、（ｂ）アナログ音声コネクタ３１のマイクロフォン音声信号端子ＭＩＣとアナログ音声コネクタ３２のマイクロフォン音声信号端子ＭＩＣとを電気的に接続し、（ｃ）アナログ音声コネクタ３１のグランド端子ＧＮＤとアナログ音声コネクタ３２のグランド端子ＧＮＤとを電気的に接続し、（ｄ）アナログ音声コネクタ３１のイヤフォン音声信号端子ＥＰ−Ｌ，ＥＰ−Ｒの他方（ここでは端子ＥＰ−Ｒ）とグランド端子ＧＮＤとの間に設けられた分圧回路の分圧端子を、マイクロフォン音声信号端子ＭＩＣに電気的に接続する。
【００４５】
この分圧回路は、抵抗素子Ｒ１，Ｒ３で構成されており、抵抗素子Ｒ１，Ｒ３の直列回路の一端および他端が、アナログ音声コネクタ３１のイヤフォン音声信号端子ＥＰ−Ｌ，ＥＰ−Ｒの他方（ここでは端子ＥＰ−Ｒ）とグランド端子ＧＮＤとにそれぞれ接続され、抵抗素子Ｒ１と抵抗素子Ｒ３との接続点（つまり分圧端子）に抵抗素子Ｒ２の一端が接続され、抵抗素子Ｒ２の他端がマイクロフォン音声信号端子ＭＩＣとに電気的に接続されている。つまり、抵抗素子Ｒ２を介して、分圧端子が、マイクロフォン音声信号端子ＭＩＣに電気的に接続されている。ここでは、分圧回路の減衰比（Ｒ３／（Ｒ１＋Ｒ３））は、例えば、１００〜２００分の１の範囲のいずれかの値とされる。
【００４６】
このように、この実施の形態では、ミキシング回路３３は、電源不要な受動素子のみで構成されている。つまり、ミキシング回路３３は、トランジスタ、オペアンプなどの能動素子を含んでおらず、スマートフォン１や音声インターフェイス２からの電源電力の供給は不要である。
【００４７】
また、この実施の形態では、音声インターフェイス２のマイクロフォン２２の出力インピーダンスは、所定の許容範囲内のいずれかの値とされ、ミキシング回路３３の出力インピーダンスの値（つまり、Ｒ２＋Ｒ３）は、その許容範囲の下限値より上限値に近い値に設定されている。つまり、抵抗素子Ｒ１，Ｒ２，Ｒ３の値は、マイクロフォン２２の出力インピーダンスに応じて設定される。
【００４８】
例えば、マイクロフォン２２の出力インピーダンスが、１００オームから２．２キロオームまでの許容範囲内のいずれかの値とされる場合、ミキシング回路３３の出力インピーダンスは、１．１５キロオーム以上とされる。例えば、ミキシング回路３３の出力インピーダンスは、マイクロフォン２２の出力インピーダンスと略同一としてもよい。
【００４９】
また、ミキシング回路３３の出力インピーダンスの値は、音声入力回路１５の入力インピーダンス以下とされる。
【００５０】
次に、実施の形態１に係る通話録音システムの動作について説明する。
【００５１】
スマートフォン１において通話を録音する場合、まず、通話録音アダプタ３が、スマートフォン１に接続され、音声インターフェイス２が通話録音アダプタ３に接続される。
【００５２】
そして、通話処理部１２ａは、スマートフォン１に対するユーザー操作に従って、ユーザー所望の通話相手との通話を開始する。スマートフォン１のユーザーの発する音声が、音声インターフェイス２のマイクロフォン２２に集音され、音声インターフェイス２のイヤフォン２１Ｌ，２１Ｒから、通話相手の音声が、スマートフォン１のユーザーに対して発せられる。通話が開始されると、通話処理部１２ａは、音声入力回路１５で受け付けたアナログ音声信号の音声データを無線通信装置１１で送信するとともに、無線通信装置１１で受信した音声データに対応するイヤフォン音声信号を音声出力回路１４から出力させる。
【００５３】
通話録音アダプタ３は、スマートフォン１から出力されるイヤフォン音声信号（通話相手のアナログ音声信号）を音声インターフェイス２へ供給するとともに、そのイヤフォン音声信号を減衰させてスマートフォン１のユーザーの音声を示すマイクロフォン音声信号に混合し、減衰後のイヤフォン音声信号の混合されたマイクロフォン音声信号をスマートフォン１へ出力する。
【００５４】
したがって、スマートフォン１の音声入力回路１５で受け付けたアナログ音声信号には、スマートフォン１のユーザーの音声を示すアナログ音声信号と通話相手の音声を示すアナログ音声信号とが混合されている。
【００５５】
そして、通話中において、録音処理部１２ｂは、音声入力回路１５で受け付けたアナログ音声信号の音声データを取得し記憶装置１３に格納する。
【００５６】
したがって、スマートフォン１のユーザーの音声と通話相手の音声が、１つのチャンネルの音声データとして記録される。
【００５７】
なお、通話処理部１２ａは、適応フィルタなどのエコーキャンセラを備え、受信した通話相手の音声に基づいて、エコーキャンセラで、スマートフォン１の音声入力回路１５で受け付けたアナログ音声信号のうちの、通話相手の音声成分を減衰させ、エコーキャンセラで通話相手の音声成分を減衰させた音声データを、通話相手に向けて送信する。なお、記録される音声データに対してはエコーキャンセラが適用されていないので、ユーザーと通話相手の両方の音声が記録される。
【００５８】
以上のように、上記実施の形態１によれば、スマートフォン１は、ソフトウェア処理で通話が可能であるが通話相手の音声の録音が行えない通話装置であり、通話録音アダプタ３は、スマートフォン１と音声インターフェイス２との間で、スマートフォン１と音声インターフェイス２とにそれぞれ接続される。通話録音アダプタ３は、スマートフォン１から出力されるイヤフォン音声信号を減衰し、減衰後のイヤフォン音声信号を、音声インターフェイス２のマイクロフォン２２から通話装置へ供給されるマイクロフォン音声信号に混合させる。そして、スマートフォン１は、減衰後のイヤフォン音声信号が混合されたマイクロフォン音声信号を、ソフトウェア処理でデジタルデータとして録音する。
【００５９】
これにより、スマートフォン１から出力された通話相手の音声の音声信号が、スマートフォン１のユーザーの音声の音声信号に混合されるため、マイクロフォン入力で受け付けた音声を録音するだけで、スマートフォン１のユーザーの音声と通話相手の音声の両方が録音される。このように、ソフトウェア処理で通話が可能であるが通話相手の音声の録音が行えないスマートフォン１において、自局側の通話音声とともに通話相手の音声を録音できる。
【００６０】
実施の形態２．
【００６１】
図５は、実施の形態２における通話録音アダプタの構成を示す回路図である。実施の形態２では、ミキシング回路３３ａが、ミキシング回路３３の代わりに使用される。
【００６２】
実施の形態２では、図５に示すように、ミキシング回路３３ａは、（ａ）アナログ音声コネクタ３１のイヤフォン音声信号端子ＥＰ−Ｌ，ＥＰ−Ｒ、マイクロフォン音声信号端子ＭＩＣ、およびグランド端子ＧＮＤを、アナログ音声コネクタ３２のイヤフォン音声信号端子ＥＰ−Ｌ，ＥＰ−Ｒ、マイクロフォン音声信号端子ＭＩＣ、およびグランド端子ＧＮＤにそれぞれ電気的に接続し、（ｂ）アナログ音声コネクタ３１のイヤフォン音声信号端子ＥＰ−Ｌ，ＥＰ−Ｒの両方とグランド端子ＧＮＤとの間に設けられた２入力の分圧回路の分圧端子を、マイクロフォン音声信号端子ＭＩＣに電気的に接続する。
【００６３】
この分圧回路は、抵抗素子Ｒ１Ｌ，Ｒ１Ｒ，Ｒ３で構成されており、抵抗素子Ｒ１Ｌ，Ｒ３の直列回路の一端および他端が、アナログ音声コネクタ３１のイヤフォン音声信号端子ＥＰ−Ｌとグランド端子ＧＮＤとにそれぞれ接続され、抵抗素子Ｒ１Ｒ，Ｒ３の直列回路の一端および他端が、アナログ音声コネクタ３１のイヤフォン音声信号端子ＥＰ−Ｒとグランド端子ＧＮＤとにそれぞれ接続され、マイクロフォン音声信号端子ＭＩＣに電気的に接続されている。つまり、抵抗素子Ｒ２を介して、分圧端子が、マイクロフォン音声信号端子ＭＩＣに電気的に接続されている。
【００６４】
なお、実施の形態２に係る通話録音システムのその他の構成および動作については実施の形態１と同様であるので、その説明を省略する。
【００６５】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００６６】
例えば、実施の形態１，２において、抵抗素子Ｒ１，Ｒ１Ｌ，Ｒ１Ｒ，Ｒ２，Ｒ３の一部または全部は、可変抵抗器であってもよい。
【００６７】
また、実施の形態１，２において、抵抗素子Ｒ１，Ｒ１Ｌ，Ｒ１Ｒ，Ｒ２，Ｒ３に対して直列または並列に他の受動素子を接続してもよい。
【００６８】
さらに、実施の形態１，２のミキシング回路３３，３３ａにおいて、抵抗素子Ｒ２を無くし、分圧端子を直接、マイクロフォン音声信号端子ＭＩＣに電気的に接続してもよい。また、上述の分圧回路は、上述の回路構成に限定されない。
【００６９】
また、実施の形態１，２において、アナログ音声コネクタ２３，３１は、４極のプラグ（例えば直径３．５ｍｍ、２．５ｍｍなどのミニプラグ）であり、アナログ音声コネクタ１６，３２は、４極のジャック（例えば直径３．５ｍｍ、２．５ｍｍなどのミニジャック）であるが、他の形式のコネクタ（例えば５極のプラグとジャックなど）でもよい。その場合、５極のプラグとジャックなどのように、ステレオマイクロフォン入力が可能であるときには、例えば、ステレオの（つまり、左右で２つの）マイクロフォン音声信号端子の一方または両方を上述のマイクロフォン音声信号端子ＭＩＣとして使用すればよい。
【産業上の利用可能性】
【００７０】
本発明は、例えば、電話営業などの業務上の通話の録音などに適用可能である。
【符号の説明】
【００７１】
１  スマートフォン（通話装置の一例）
２  音声インターフェイス
３  通話録音アダプタ
１２ｂ  録音処理部
１４  音声出力回路
１５  音声入力回路
２１Ｌ，２１Ｒ  イヤフォン
２２  マイクロフォン
３３，３３ａ  ミキシング回路
【図１】
2019041270.tif 000003
【図２】
2019041270.tif 000004
【図３】
2019041270.tif 000005
【図４】
2019041270.tif 000006
【図５】
2019041270.tif 000007